(57)【要約】      （修正有）【課題】より遮音性を高めた遮音ブースを提供する。【解決手段】遮音ブース２０は、それぞれ床面に垂直に立設され、側辺で互いに連結された複数枚の矩形吸音パーティションにより構成され、平面形状が長方形の柱状空間を、該平面形状の中心の周囲２３０°以上で囲う本体部１１と、前記本体部１１の上部を閉鎖する吸音パーティション製の天井部２１とを備える。天井部２１は、本体部１１の開放されている側（前方）において高く且つ開放されており、それに対向する側（後方）において低く且つ閉鎖されており、両側方において閉鎖され、上部が閉鎖されている。【選択図】図２
0003231162.tif 000002
【実用新案登録請求の範囲】
【請求項１】
それぞれ床面に垂直に立設され、側辺で互いに連結された複数枚の矩形吸音パーティションにより構成され、平面形状が多角形の柱状空間を、該平面形状の中心の周囲230°以上で囲う本体部と、
前記本体部の上部を閉鎖する吸音パーティション製の天井部と
を備えることを特徴とする遮音ブース。
【請求項２】
それぞれ床面に垂直に立設され、側辺で互いに連結された複数枚の矩形吸音パーティションにより構成され、平面形状が多角形の柱状空間を、該平面形状の中心の周囲230°以上で囲う本体部の上部を閉鎖する吸音パーティション製の、遮音ブース用取り付け天井部。
【請求項３】
前記本体部の平面形状が正方形または長方形であり、3方が吸音パーティションで囲まれている前記本体部に取り付ける天井部であって、前記本体部の開放されている側において高く且つ開放されており、それに対向する側において低く且つ吸音パーティション製の背板により閉鎖されており、両側方において吸音パーティション製の側板により閉鎖され、上部が吸音パーティション製の天板により閉鎖されている、請求項２に記載の遮音ブース用取り付け天井部。
【請求項４】
前記背板、前記側板及び前記天板が、それぞれの辺に固定された、表面に面ファスナーが巻き付けられた円柱状の連結具により連結されている請求項３に記載の遮音ブース用取り付け天井部。
【考案の詳細な説明】
【技術分野】
【０００１】
本考案は、主に大きな部屋の中に設置し、外部からの音の侵入を防ぎ、内部の音を外部に放出させない遮音ブースに関する。また、既存の上部が開放された遮音ブースの上部を閉鎖するために取り付ける、取り付け天井部に関する。
【背景技術】
【０００２】
一般家庭やオフィス等において、騒音対策として、パネル化された吸音材（いわゆる吸音パーティション）を壁や床に配設することがある。このような吸音パーティションを壁や床などではなく、室内において組み立てて作業者一人又は数人が作業するためのスペースを囲うブースを形成することもしばしば行われている（例えば、非特許文献１参照）。このような、吸音パーティションで形成されたブース（遮音ブース）は、周囲を吸音パーティションで完全に囲うことにより効果的に遮音を行うことができ、一人又は数人の作業者が大きな部屋の中で外部からの騒音に煩わされることなく静かに作業するに適している。また逆に、内部で大きな音を立てる作業を行った場合に、外部に迷惑を掛けることも少ない。
【先行技術文献】
【特許文献】
【０００３】
【特許文献１】意匠登録第1664143号公報
【非特許文献】
【０００４】
【非特許文献１】「Officia オフィシア」,[online],株式会社ドリックス,[令和2年11月10日検索],インターネット<URL:https://www.dorix.co.jp/officeia/>
【非特許文献２】「残響室法吸音率試験」,[online],一般財団法人日本建築総合試験所,[令和2年11月10日検索],インターネット<URL:https://www.gbrc.or.jp/assets/test_series/documents/ac_05.pdf>
【考案の概要】
【考案が解決しようとする課題】
【０００５】
しかし、従来の遮音ブースは、周囲を吸音パーティションで囲ったとしても、上部（天井）は空いていたため、外部の音が該遮音ブースが設置されている部屋の天井に反射し、上部から遮音ブース内に侵入してくることがあった。また、内部で発生した音についても同様に、上部から遮音ブース外に出て、天井で反射して遮音ブース設置室内の他の場所に及ぶということがあった。
【０００６】
本考案が解決しようとする課題は、より遮音性を高めた遮音ブースを提供することである。
【課題を解決するための手段】
【０００７】
上記課題を解決するために成された本考案に係る遮音ブースは、
それぞれ床面に垂直に立設され、側辺で互いに連結された複数枚の矩形吸音パーティションにより構成され、平面形状が多角形の柱状空間を、該平面形状の中心の周囲230°（これを閉鎖角と呼ぶ）以上で囲う本体部と、
前記本体部の上部を閉鎖する吸音パーティション製の天井部と
を備えることを特徴とする。
【０００８】
本考案に係る遮音ブースは、周囲の230°以上が吸音パーティションで囲われ、更に、上部が同じく吸音パーティション製の天井部により閉鎖されているため、特に上部からの音の侵入が防止される。また、内部で発生した音が上部から出て周囲に発散することが防止される。
【０００９】
本考案に係る遮音ブースは、天井のある部屋の中において使用するに適している。この場合、遮音ブースの外部の音がその部屋の天井で反射して遮音ブース内に侵入することを効果的に防止することができる。また逆に、遮音ブース内で発生した音が上部から抜けてその部屋の天井で反射し、その部屋の中の他の部分に至ることを防止することができる。
【００１０】
もちろん、本考案に係る遮音ブースは、天井の無い（或いは、非常に高いところに天井がある）屋内で使用することも可能であるし、屋外（野外）で使用することも可能である。それらの場合でも、上部からの音の侵入が効果的に防止され、内部では静かな環境が維持される。
【００１１】
上記遮音ブースの本体部の柱状空間は、四角柱状、三角柱状、五角柱状、星形柱状等、様々な形状のものであってよい。図１１(a)に示すように、柱状空間が、平面形状が正方形の四角柱状である場合、周囲の3辺が吸音パーティションで囲われていればよい（この場合、閉鎖角は270°である）。図１１(b)に示すように、平面形状が長辺:短辺=2:1の四角形の四角柱状である場合、一方の長辺が開いているブースであってよい（この場合、閉鎖角は233°である）。図１１(c)に示すように、平面形状が正三角形の三角柱状である場合、1辺が開いているブースであってよい（この場合、閉鎖角は240°である）。
【００１２】
天井の無い遮音ブース（本体部）が既存である場合、それに合わせてその上部を閉鎖する天井部のみを提供するようにしてもよい。すなわち、本考案は、それぞれ床面に垂直に立設され、側辺で互いに連結された複数枚の矩形吸音パーティションにより構成され、平面形状が多角形の柱状空間を、該平面形状の中心の周囲230°以上で囲う本体部の上部を閉鎖する吸音パーティション製の取り付け天井部としても実現される。
【００１３】
本考案に係る遮音ブースの取り付け天井部は、既存の天井の無い遮音ブース（本体部）に取り付けることにより、その遮音性をより高めることができる。
【００１４】
この取り付け天井部の一つの形態として、既存の遮音ブースの平面形状が正方形または長方形であり、3方（3辺）が吸音パーティションで囲まれている本体部に取り付けるものがある。この取り付け天井部は、本体部の開放されている側（辺）において高く且つ同様に開放されており、それに対向する側（辺）において低く且つ閉鎖されており、両側方（それらに挟まれる2辺）において閉鎖され、天井が閉鎖されている。
【考案の効果】
【００１５】
本考案に係る遮音ブースは、周囲の230°以上が吸音パーティションで囲われ、更に、上部が同じく吸音パーティション製の天井部により閉鎖されているため、特に上部からの音の侵入が防止される。また、内部で発生した音が上部から出て周囲に発散することが防止される。
【図面の簡単な説明】
【００１６】
【図１】本考案の第１の実施形態である、平面形状が正方形となるように3枚の同高・同幅の吸音パーティションで構成した本体部の斜視図(a)、及び、それに天井部を取り付けた遮音ブースの斜視図(b)。
【図２】本考案の第２の実施形態である、図１(a)と同じ本体部の上部に、内部空間を少し高くする天井部を配置した遮音ブースの斜視図(b)、及び、その本体部の斜視図(a)。
【図３】背面側の吸音パーティションの左側面図(a)、正面図(b)、右側面図(c)及び平面図(d)。
【図４】図３の吸音パーティションのA-A'断面図。
【図５】第２実施形態の遮音ブースの取り付け天井部の左側面図。
【図６】前記取り付け天井部の側板の平面図、正面図及び左右側面図。
【図７】前記取り付け天井部の背板の平面図、正面図及び右側面図。
【図８】前記取り付け天井部の天板の背面図、平面図及び右側面図。
【図９】前記取り付け天井部を本体部に固定するための結合金具の正面図(a)、側面図(b)及び斜視図(c)。
【図１０】吸音パーティションの吸音率を示すグラフ。
【図１１】各種平面形状を有する本体部の閉鎖角を示す平面図であり、(a)は正方形、(b)は長辺:短辺=2:1の長方形、(c)は正三角形のもの。
【図１２】本考案の第２の実施形態の遮音ブースに扉を取り付けた形態の遮音ブースの斜視図(b)、及び、その本体部の斜視図(a)。
【考案を実施するための形態】
【００１７】
本考案の第１の実施形態である遮音ブースを図１(a)、(b)により説明する。図１(a)は、平面形状が正方形となるように3枚の同高・同幅のキャスター付き吸音パーティション１２、１３、１４で構成した本体部１１の斜視図である。
【００１８】
3枚の吸音パーティションのうち、背面側のもの１３は図３に示すように、2枚の同形の布張り単位板を貼り合わせて構成され、両側辺に円柱状の連結具１５、１６を固定したものである。連結具１５、１６は、心棒の表面に雄及び雌の面ファスナーを巻き付けて構成されたものであり、その巻き端を1枚の吸音パーティションを構成する表裏2枚の布張り単位板の間に挟み込むことにより吸音パーティション１３に固定されているものである。連結具１５、１６の部分を拡大した吸音パーティション１３の断面を図４に示す。この連結具１５、１６は特許文献１に記載のものである。この連結具１５、１６で2枚の吸音パーティションを連結することにより、それら2枚の吸音パーティションを任意の角度で連結することができる。すなわち、1種類の吸音パーティションのみで前述のような四角柱状、三角柱状、五角柱状、星形柱状等、様々な平面形状の遮音ブースを構成することができる。
【００１９】
左右側面側の吸音パーティション１２、１４もその基本的構成は背面側の吸音パーティション１３と同じであり、ただ、これらは一方の側辺のみに上記連結具が固定されている。これらの吸音パーティション１２、１３、１４の寸法は、縦（高さ）が210cmまたは180cm、横（幅）が60cm、80cm、または120cm、厚さが3cmである。なお、横の寸法が異なるものを組み合わせ、平面形状が長方形の本体部としてもよい。
【００２０】
この吸音パーティション１２、１３、１４（図１０では「30mm officia partition」と表記）の吸音効果を図１０に示す。これは、福井県工業技術センターにおいてJIS A1409（残響室法吸音率の測定方法）に従って測定した（非特許文献２参照）データのグラフであり、200Hz以上の音域において高い吸音率を示している。
【００２１】
図１(b)は、図１(a)の本体部１１に、正方形（または、本体部の平面形状に合わせた長方形）の平板状の吸音パーティションから成る天井部１７を固定したものである。天井部１７の固定は、本体部１１の各吸音パーティション１２、１３、１４の上端面と、天井部１７のそれに対応する吸音パーティションの周辺領域に面ファスナーを固定し、両面ファスナーで接合することにより行うことができる。これにより、本第１実施形態の遮音ブース１０が完成する。
【００２２】
本考案の第２の実施形態である遮音ブースを図２(a)、(b)により説明する。本実施形態の遮音ブース２０は、図１(a)と同じ本体部１１（図２(a)）の上部に、内部空間を少し高くする天井部２１を配置したものである。天井部２１は前方（本体部１１の開口側）が本体部１１と同様に開口しており、後方（本体部１１のパーティション１３側）が前方よりも低く、且つ背板２３により閉鎖され、両側方にはその前後の高さの差に対応した台形の側板２２、２４が設けられ、上部には天板２７が設けられている。これら側板２２、２４、背板２３及び天板２７はいずれも本体部１１の3枚の吸音パーティションと同様に2枚の同形の布張り単位板を貼り合わせて構成された吸音パーティションから成る。天井部２１の側面図を図５に、その側板２２（又は側板２４）の正面図、平面図及び左右側面図を図６に、背板２３の正面図、平面図及び右側面図を図７に、天板２７の正面図、平面図及び右側面図を図８にそれぞれ示す。それらはいずれも前記連結具１５、１６と同様に、表面に面ファスナーが巻き付けられた円柱状の連結具２８により連結されている。背板２３の高さ（＝側板２２、２４の短い方の辺の高さ）は、幅が60cmの場合は20cm、幅が90cmの場合は25cm程度とし、前方の開口の高さ（＝側板２２、２４の長い方の辺の高さ）はそれらよりも5cm程度高いものとしておくことができる。
【００２３】
この遮音ブース２０の天井部２１は、天板２７が前方に向けて高く、後方に向けて低くなるように傾斜しているため（スローピングルーフ）、天井を水平とした場合と比較して、遮音ブース２０内の作業者に対する圧迫感が少なく、遮音ブース２０への出入りが容易となっている。
【００２４】
この遮音ブース２０の天井部２１は、本体部１１に固定した、一体型の遮音ブース２０として製造・販売してもよいし、天井部２１のみを既存の遮音ブース（本体部１１）に後付けするためのものとして単独で流通、販売してもよい。
【００２５】
天井部２１のみを既存の遮音ブース（本体部１１）に後付けする場合、図９に示すような、断面Ｈ形の結合金具２９を用いることができる。これはネジが不要であるため、本体部１１と天井部２１を簡単に固定することができる。
【００２６】
こうして、既存の天井開放型の遮音ブース（本体部１１）に後付けでスローピングルーフの天井部２１を取り付けることにより、遮音ブースの個室感がより高まるとともに、上部からの音の侵入が防止される。特に室内で使用する場合、部屋の天井からの反射音が有効に防止され、遮音ブース２０内での静かな作業環境が確保される。
【００２７】
上記2つの実施形態の遮音ブース１０、２０はいずれも前面を開放したものであったが、これでも3方及び上部が吸音パーティションで囲われているため、比較的良好な遮音効果を得ることができる。しかし、更に遮音効果を高めるために、図１２に示すように、前面に開閉式の扉２５を設けるようにしてもよい。この扉２５は、背面の吸音パーティションと同じ形状の吸音パーティションで構成することができ、左または右側面の吸音パーティション１２、１４に前記連結具１５、１６を用いて連結することができる。この連結具１５、１６を開閉のヒンジとして利用することにより、扉２５は遮音ブース１０、２０の前面の開口を容易に開閉することができ、且つ、扉２５を任意の角度で開いた状態にしておくことができる。
【符号の説明】
【００２８】
１０、２０…遮音ブース
１１…本体部
１２、１３、１４…吸音パーティション
１５、１６…連結具
１７…天井部
２０…遮音ブース
２１…天井部
２２、２４…側板
２３…背板
２５…扉
２７…天板
２８…連結具
２９…結合金具
【図１】
0003231162.tif 000003
【図２】
0003231162.tif 000004
【図３】
0003231162.tif 000005
【図４】
0003231162.tif 000006
【図５】
0003231162.tif 000007
【図６】
0003231162.tif 000008
【図７】
0003231162.tif 000009
【図８】
0003231162.tif 000010
【図９】
0003231162.tif 000011
【図１０】
0003231162.tif 000012
【図１１】
0003231162.tif 000013
【図１２】
0003231162.tif 000014
【手続補正書】
【提出日】令和3年1月7日(2021.1.7)
【手続補正１】
【補正対象書類名】実用新案登録請求の範囲
【補正対象項目名】全文
【補正方法】変更
【補正の内容】
【実用新案登録請求の範囲】
【請求項１】
それぞれ床面に垂直に立設され、側辺で互いに連結された複数枚の矩形吸音パーティションにより構成され、平面形状が多角形の柱状空間を、該平面形状の中心の周囲230°以上で囲う本体部と、
前記本体部の上部を閉鎖する吸音パーティション製の天井部と
を備えることを特徴とする遮音ブース。
【請求項２】
それぞれ床面に垂直に立設され、側辺で互いに連結された複数枚の矩形吸音パーティションにより構成され、平面形状が多角形の柱状空間を、該平面形状の中心の周囲230°以上で囲う本体部の上部を閉鎖する吸音パーティション製の遮音ブース用取り付け天井部であって、
前記本体部の平面形状が正方形または長方形であり、3方が前記吸音パーティションで囲まれており、前記本体部の開放されている側において高く且つ開放されており、それに対向する側において低く且つ吸音パーティション製の背板により閉鎖されており、両側方において吸音パーティション製の側板により閉鎖され、上部が吸音パーティション製の天板により閉鎖されている、遮音ブース用取り付け天井部。
【請求項３】
前記背板、前記側板及び前記天板が、それぞれの辺に固定された、表面に面ファスナーが巻き付けられた円柱状の連結具により連結されている請求項２に記載の遮音ブース用取り付け天井部。